【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
垂直ケーブルマネージャであって、
支持柱と、前記支持柱の第１の端部に取り付けられている第１の上側支持脚部及び第２の上側支持脚部と、前記第１の端部の反対側に位置する前記支持柱の第２の端部に取り付けられている第１の下側支持脚部及び第２の下側支持脚部と、前記第１の上側支持脚部と前記第２の上側支持脚部との間に取り付けられている上側横梁と、前記第１の下側支持脚部と前記第２の下側支持脚部との間に取り付けられている下側横梁と、を具備するベースフレームと、
ドアパネルと、前記ドアパネルに固定されており且つ前記ドアパネルの角部それぞれに位置決めされているヒンジピン組立体であって、格納式ヒンジピンをそれぞれ含んでいる前記ヒンジピン組立体と、を具備するドアと、
を備えている前記垂直ケーブルマネージャにおいて、
前記上側横梁及び前記下側横梁それぞれが、前記格納式ヒンジピンそれぞれを受容するための第１のヒンジロッド受容口及び第２のヒンジロッド受容口と、第１の弾性ラッチ部材及び第２の弾性ラッチ部材と、を備えており、
前記第１の弾性ラッチ部材及び前記第２の弾性ラッチ部材それぞれが、横梁に接触しているベース部と、前記ベース部から延在しているフレキシブルアームと、前記フレキシブルアームから延在しており且つ前記ベース部の反対側に位置する前記フレキシブルアームの遠位端部に配置されているキャッチ部と、を備えており、
前記キャッチ部が、前記ドアが閉位置に位置している状態において、前記格納式ヒンジピンそれぞれを前記第１のヒンジロッド受容口及び前記第２のヒンジロッド受容口それぞれに固定し、前記キャッチ部が、前記ドアが開位置から閉位置に至るまで移動される場合に前記格納式ヒンジピンが前記第１のヒンジロッド受容口及び前記第２のヒンジロッド受容口を貫通して前記キャッチ部を通過するように、前記フレキシブルアームの弾性変形を介して屈曲可能とされる、前記垂直ケーブルマネージャ。
【請求項２】
前記ベースフレームが、前記ベースフレームに搭載されているケーブルフィンガユニットを備えている請求項１に記載の垂直ケーブルマネージャ。
【請求項３】
前記ベースフレームが、複数のスロットと開口部とを備えており、
前記ケーブルフィンガユニットが、前記ケーブルフィンガユニットを位置決めするために前記ベースフレームの複数の前記スロットに係合するように構成されている複数の突起と、前記ケーブルフィンガユニットを前記ベースフレームに固定するために前記ベースフレームの前記開口部に係合するように構成されている可撓性スナップ部材と、を備えている請求項２に記載の垂直ケーブルマネージャ。
【請求項４】
前記ケーブルフィンガユニットが、ベースと、前記ベースから延在している複数のフィンガであって、Ｌ字状構成をそれぞれ有している複数の前記フィンガと、を備えている請求項２に記載の垂直ケーブルマネージャ。
【請求項５】
前記支持柱が、背面パネルと、前記背面パネルの第１の側面に位置決めされている第１の側面パネルと、前記第１の側面の反対側に位置する前記背面パネルの第２の側面に位置決めされている第２の側面パネルと、を備えている請求項１に記載の垂直ケーブルマネージャ。
【請求項６】
前記支持柱が、複数の支持タブを備えており、
前記第１の上側支持脚部及び前記第２の上側支持脚部と前記第１の下側支持脚部及び前記第２の下側支持脚部とがそれぞれ、前記支持タブを受容するための支持タブ開口部を備えている請求項１に記載の垂直ケーブルマネージャ。
【請求項７】
対向する前記ヒンジピン組立体それぞれが、互いに対して反対方向に格納される請求項１に記載の垂直ケーブルマネージャ。
【請求項８】
前記ドアが、
第１のドアハンドル組立体及び第２のドアハンドル組立体と、
互いに対して反対側に位置する端部において対向する前記ヒンジピン組立体に接続されている第１のケーブル組立体及び第２のケーブル組立体であって、前記第１のドアハンドル組立体及び前記第２のドアハンドル組立体それぞれに係合している前記第１のケーブル組立体及び前記第２のケーブル組立体と、
を備えており、
前記第１のドアハンドル組立体及び前記第２のドアハンドル組立体の回転により前記第１のケーブル組立体及び前記第２のケーブル組立体を移動させ、これにより前記ヒンジピン組立体それぞれの前記格納式ヒンジピンを延在位置から格納位置に至るまで移動させる請求項１に記載の垂直ケーブルマネージャ。
【請求項９】
前記ヒンジピン組立体それぞれが、
前記ドアパネルに固定されており且つ前記格納式ヒンジピンを受容するように構成されているヒンジピン受容部と、
前記ヒンジピン受容部の内部に配置されているバネであって、前記格納式ヒンジピンを前記延在位置に向かって付勢するように、前記ヒンジピン受容部の一部分と前記格納式ヒンジピンとの間に位置決めされている前記バネと、
を備えている請求項８に記載の垂直ケーブルマネージャ。
【請求項１０】
前記第１のケーブル組立体及び前記第２のケーブル組立体それぞれが、ケーブルと、前記ケーブルの端部それぞれに接続されている接合部と、を備えており、
前記接合部が、前記第１のケーブル組立体及び前記第２のケーブル組立体を前記ヒンジピン組立体に接続させるように、前記格納式ヒンジピンそれぞれに係合しており、前記ケーブルが、ドアハンドル組立体のチャネルを通じて延在している請求項８に記載の垂直ケーブルマネージャ。
【請求項１１】
垂直ケーブルマネージャのためのベースフレームであって、支持柱と、前記支持柱の第１の端部に取り付けられている第１の上側支持脚部及び第２の上側支持脚部と、前記第１の端部の反対側に位置する前記支持柱の第２の端部に取り付けられている第１の下側支持脚部及び第２の下側支持脚部と、前記第１の上側支持脚部と前記第２の上側支持脚部との間に取り付けられている上側横梁と、前記第１の下側支持脚部と前記第２の下側支持脚部との間に取り付けられている下側横梁と、を具備する前記ベースフレームにおいて、
前記上側横梁及び前記下側横梁それぞれが、ドアの格納式ヒンジピンそれぞれを受容するための第１のヒンジロッド受容口及び第２のヒンジロッド受容口と、第１の弾性ラッチ部材及び第２の弾性ラッチ部材と、を備えており、
前記第１の弾性ラッチ部材及び前記第２の弾性ラッチ部材それぞれが、横梁に接続しているベース部と、前記ベース部から延在しているフレキシブルアームと、前記フレキシブルアームから延在しているキャッチ部であって、前記ベース部の反対側に位置する前記フレキシブルアームの遠位端部に配置されている前記キャッチ部と、を備えており、
前記キャッチ部が、前記ドアが閉位置に位置している状態において、前記格納式ヒンジピンそれぞれを前記第１のヒンジロッド受容口及び前記第２のヒンジロッド受容口それぞれに固定しており、前記キャッチ部が、前記ドアが開位置から閉位置に至るまで移動される場合に前記格納式ヒンジピンが前記第１のヒンジロッド受容口及び前記第２のヒンジロッド受容口を貫通して前記キャッチ部を通過するように、前記フレキシブルアームの弾性変形を介して屈曲可能とされる、ベースフレーム。
【請求項１２】
前記ベースフレームが、前記ベースフレームに搭載されているケーブルフィンガユニットを備えている請求項１１に記載のベースフレーム。
【請求項１３】
前記ベースフレームが、複数のスロットと開口部とを備えており、
前記ケーブルフィンガユニットが、前記ケーブルフィンガユニットを位置決めするために前記ベースフレームの複数の前記スロットに係合するように構成されている複数の突起と、前記ケーブルフィンガユニットを前記ベースフレームに固定するために前記ベースフレームの前記開口部に係合するように構成されている可撓性スナップ部材と、を備えている請求項１２に記載のベースフレーム。
【請求項１４】
前記ケーブルフィンガユニットが、ベースと、前記ベースから延在している複数のフィンガであって、Ｌ字状構成をそれぞれ有している複数の前記フィンガと、を備えている請求項１２に記載のベースフレーム。
【請求項１５】
前記支持柱が、背面パネルと、前記背面パネルの第１の側面に取り付けられている第１の側面パネルと、前記第１の側面の反対側に位置する前記背面パネルの第２の側面に取り付けられている第２の側面パネルと、を備えている請求項１１に記載のベースフレーム。
【請求項１６】
前記支持柱が、複数の支持タブを備えており、
前記第１の上側支持脚部及び前記第２の上側支持脚部と前記第１の下側支持脚部及び前記第２の下側支持脚部とがそれぞれ、前記支持タブを受容するための支持タブ開口部を備えている請求項１１に記載のベースフレーム。
【請求項１７】
垂直ケーブルマネージャであって、
上側支持脚部と下側支持脚部と上側横梁と下側横梁とを有しているベースフレームであって、前記上側横梁が、前記上側支持脚部の両端部の間に取り付けられており、前記下側横梁が、前記下側支持脚部の両端部の間に取り付けられている、前記ベースフレームと、
ドアパネルと、前記ドアパネルに固定されており且つ前記ドアパネルの角部それぞれに位置決めされている対向する第１のヒンジピン組立体及び第２のヒンジピン組立体であって、前記第１のヒンジピン組立体及び前記第２のヒンジピン組立体が、ヒンジロッド受容口それぞれによって前記垂直ケーブルマネージャの前記上側横梁及び前記下側横梁のうち一方に受容される格納式ヒンジピンを含んでいる、前記第１のヒンジピン組立体及び前記第２のヒンジピン組立体と、
両端部において対向するヒンジピン組立体に接続されているケーブル組立体であって、ドアハンドル組立体を通じて延在している前記ケーブル組立体と、
を備えている垂直ケーブルマネージャにおいて、
前記ドアハンドル組立体の回転により前記ケーブル組立体を前記第１のヒンジピン組立体及び前記第２のヒンジピン組立体から離隔する方向に引っ張り、これにより前記第１のヒンジピン組立体及び前記第２のヒンジピン組立体それぞれの前記格納式ヒンジピンを延在位置から格納位置に至るまで移動させ、
前記格納式ヒンジピンが、片側にドアポスト部を含み、反対側に逃げ孔を含み、
前記逃げ孔が、前記ケーブル組立体の接合部を受容し、
前記格納式ヒンジピンが、ヒンジピン受容部の内部に配置されており、
前記格納式ヒンジピンが、前記ドアポスト部が前記ヒンジピン受容部の片側に位置すると共に前記逃げ孔が前記格納式ヒンジピンの反対側に位置する状態で、前記ヒンジピン受容部を通って延在しており、
前記ドアハンドル組立体が、ドアハンドルとドアハンドルバッキングとを含んでおり、
前記ドアハンドルが、前記ドアパネルの開口部を通じて延在しており、
前記ドアハンドルが、係合リブを有しており、前記ドアハンドルバッキングが、前記ドアハンドルの前記係合リブと連結する係合スロットを有しており、
前記ドアハンドルバッキングが、ケーブルをチャネルを通じて延在させるための曲げ半径制御を提供するための曲げ半径制御セクションを具備する前記チャネルを含んでいる、垂直ケーブルマネージャ。
【請求項１８】
対向する前記ヒンジピン組立体それぞれが、互いに対して反対方向に格納される請求項１７に記載の垂直ケーブルマネージャ。
【請求項１９】
前記ヒンジピン組立体それぞれが、
前記ドアパネルに固定されており且つ前記格納式ヒンジピンを受容するように構成されているヒンジピン受容部と、
前記ヒンジピン受容部の内部に配置されているバネであって、前記格納式ヒンジピンを前記延在位置に向かって付勢するように、前記ヒンジピン受容部の一部分と前記格納式ヒンジピンとの間に位置決めされている前記バネと、
を備えている請求項１７に記載の垂直ケーブルマネージャ。
【請求項２０】
前記ケーブル組立体それぞれが、ケーブルと、前記ケーブルの端部それぞれに接続されている接合部と、を備えており、
前記接合部が、前記ケーブル組立体を前記ヒンジピン組立体に接続させるように、前記格納式ヒンジピンそれぞれに係合しており、前記ケーブルが、ドアハンドル組立体のチャネルを通じて延在している請求項１７に記載の垂直ケーブルマネージャ。
【請求項２１】
ブレースが、剛性を加えるためにドアに固定されており、前記ケーブル組立体が張っていない場合に前記ケーブル組立体を隠す請求項１７に記載の垂直ケーブルマネージャ。
【請求項２２】
前記ケーブル組立体の前記接合部が、前記格納式ヒンジピンの縦軸に対して非垂直角度で、前記逃げ孔を通じて挿入され、前記接合部が、前記接合部が前記格納式ヒンジピンと同軸になるまで回転され、
前記格納式ヒンジピンが、前記接合部が前記格納式ヒンジピンの内部で回転すると前記接合部を捕捉する重なりタブを含んでいる請求項１７に記載の垂直ケーブルマネージャ。